(57)【特許請求の範囲】
【請求項１】
少なくとも１つのホームロケーションレジスタ（ＨＬＲ）及び少なくとも１つのビジターロケーションレジスタ（ＶＬＲ）を備えるセルラー方式移動通信システムにおける移動局（ＭＳ）の位置更新の方法であり、各々の加入者は１つの加入者識別子（ＭＳＩＳＤＮ）と関連しており、移動局（ＭＳ）は１つの加入者識別子モジュール（ＳＩＭ）を備える方法において、
該方法は、
−少なくとも１つの加入者識別子（ＭＳＩＳＤＮ）が少なくとも２つの識別子モジュール（ＳＩＭ）を割り当てられ、それらの識別子モジュールについて、アクティブ状態及びパッシブ状態が、一時には、同一の加入者識別子に割り当てられた識別子モジュールの内の１つだけがアクティブになり得るといったように決定されるものであり、自動的に、
−位置更新に関連して、位置更新が、少なくとも２つの識別子モジュール（ＳＩＭ）が割り当てられた１つの加入者識別子（ＭＳＩＳＤＮ）に関するかどうか調べられ、
−少なくとも２つの識別子モジュール（ＳＩＭ）が割り当てられた１つの加入者識別子（ＭＳＩＳＤＮ）に関する位置更新に応答して、位置更新に携わっている識別子モジュール（ＳＩＭ）がパッシブとして登録されているかどうかが調べられ、もし、パッシブとして登録されているならば、その識別子モジュールはアクティブにされ、先にアクティブとして登録された識別子モジュール（ＳＩＭ）は非アクティブにされることを特徴とする方法。
【請求項２】
もし、位置更新が、先にパッシブとして登録された識別子モジュール（ＳＩＭ）を使用して実施されているのと同時に、先にアクティブとして登録された識別子モジュール（ＳＩＭ）が進行中の呼に携わっているならば、進行中の呼が終了されてしまうまで、位置更新は拒絶もしくは延期される請求項１に記載の方法。
【請求項３】
パッシブとして登録された識別子モジュール（ＳＩＭ）に関する成功もしくは試みられた位置更新が、呼び中に、アクティブとして登録された識別子モジュール（ＳＩＭ）のユーザーに、好ましくは、呼待機機能を使用して伝えられる請求項２に記載の方法。
【請求項４】
識別子モジュール（ＳＩＭ）を加入者識別子（ＭＳＩＳＤＮ）と関連させるための手段（Ｔ）を備える移動通信ネットワーク要素（ＨＬＲ）において、
−一時には１つの識別子モジュール（ＳＩＭ）だけをアクティブとして登録可能であるといったように、少なくとも１人の加入者について、少なくとも２つの識別子モジュール（ＳＩＭ）を同一の加入者識別子（ＭＳＩＳＤＮ）と関連させるための特別の情報要素（Ｅ）と、
−少なくとも２つの識別子モジュール（ＳＩＭ）が割り当てられており、位置更新に携わっている識別子はその特定の瞬間にパッシブとして登録されているような加入者に関する位置更新に応答して、位置更新に携わっている識別子モジュール（ＳＩＭ）をアクティブにし、また、先にアクティブとして登録された識別子モジュール（ＳＩＭ）を非アクティブにするための手段とを更に備えることを特徴とする移動通信ネットワーク要素。
【発明の詳細な説明】
発明の分野
本発明は、移動通信システムにおいて同一のＭＳＩＳＤＮ番号を有する２つのＳＩＭカードを使用する方法及び装置に関する。
発明の背景
本発明を例示するために、本発明を、ＧＳＭシステム（Global System for Mobile Communication（移動通信のためのグローバルシステム））の範囲内で、ＧＳＭシステムの専門用語を使用して説明するが、決してそれに限定するわけではない。図１に示されるように、ＧＳＭネットワークの構成は、基地局サブシステム（ＢＳＳ）及びネットワークサブシステム（ＮＳＳ）の２つの主要な部分から成る。ＢＳＳ及び移動局ＭＳは無線接続を介して通信する。ＢＳＳでは、各々のセルは基地トランシーバ局（ＢＴＳ）によってサービスされる。１グループの基地トランシーバ局ＢＴＳは１つの基地局コントローラ（ＢＳＣ）に接続される。基地局コントローラの機能は、基地トランシーバ局ＢＴＳによって使用される無線周波数及びチャネルを制御することである。基地局コントローラＢＳＣは移動交換センタ（ＭＳＣ）に接続される。移動交換センタの機能は、少なくとも１つの移動局ＭＳが携わる呼を交換することである。いくつかのＭＳＣは公衆統合サービスネットワーク（ＰＩＳＮ）といったような他のデータ通信ネットワークに接続され、これらのネットワークに出入りする呼を処理するための交換機能を備える。これらの移動交換センタはゲートウェイ移動交換センタ（ＧＭＳＣもしくはゲートウェイＭＳＣ）と呼ばれる。
ＧＳＭシステムは、呼をルーティングするための２つのタイプのデータベースを有する。ネットワーク加入者データはホームロケーションレジスタ（ＨＬＲ）に恒久的もしくは半恒久的に記憶される。これらのデータは、例えば、加入者がアクセスしたサービスや加入者の現在位置に関する情報を含む。もう一方のレジスタのタイプはビジターロケーションレジスタ（ＶＬＲ）である。一般的に、それは一つの移動交換センタＭＳＣに接続されるが、いくつかのセンタにサービスすることも可能である。通常、ビジターロケーションレジスタは移動交換センタＭＳＣに統合される。このような統合されたネットワーク要素は簡潔にＶＭＳＣ（ビジターＭＳＣ）と呼ばれる。移動局ＭＳがアクティブである（それはネットワークに登録されており、呼を開始もしくは受信することができる）時、ホームロケーションレジスタ（ＨＬＲ）内のその移動局ＭＳに関する加入者データの大部分が、その移動局ＭＳが位置するエリア内の移動交換センタＭＳＣのビジターロケーションレジスタＶＬＲにロード（コピー）される。
継続的に、基地局ＢＴＳは基地局自体及び基地局の環境に関する情報を同報通信する。その情報は、例えば、ロケーションエリア識別子、基地局識別子、基地局タイプ及び隣接するセル情報として知られる事項を含む。移動局ＭＳが特定のセルの基地局にロックされる時、移動局はまた、基地局ＢＴＳによって伝送される隣接するセル情報によって示される基地局の伝送品質を監視し、もし、現在の基地局のカバレージが劣化するならば、これらの基地局の内の１つに切り換わる。一般的に、セルラー方式無線ネットワークはロケーションエリア（ＬＡ）として知られるものの精度で移動局の位置を知る。一般的に、ロケーションエリアは適切な数の事前に規定されたセル及びそれらの基地局を含む。例えばロケーションエリアインデックス（ＬＡＩ）といった基地局によって伝送されるロケーションエリアデータは、基地局ＢＴＳが属するロケーションエリアを移動局に通知する。移動局ＭＳが同一のロケーションエリア内でセルを変える場合は、セルラー方式無線ネットワークへの位置更新は必要とされない。しかし、移動局が新しい基地局に切り換わり、例えばＬＡＩといったロケーションエリアデータに基づいてロケーションエリアが変わることに気づく場合、移動局は位置更新要求をセルラー方式無線ネットワークに伝送することによって位置更新を開始する。この位置更新要求の結果として、ネットワークはその加入者レジスタに移動局の新しいロケーションエリアを記憶する。例として与えられたＧＳＭシステムにおける位置更新は、例えば、Mouly-Pautet、「The GSM System for Mobile Communications（移動通信のためのＧＳＭシステム）」、特に７．１．４章及びＥＴＳＩ勧告「GSM 03.12, Location Registration Procedures DCS, ETSI/PT 12（ＧＳＭ  ０３．１２、位置登録プロシジャー  ＤＣＳ、ＥＴＳＩ／ＰＴ  １２）」に記述されている。
図２は位置更新に関するシグナリングを例示する。図２では、ＧＳＭシステムにおいてと同様に、移動加入者のＭＳＩＳＤＮ識別子（Mobile Subscriber ISDN（移動加入者ＩＳＤＮ））が無線経路上で使用されないと仮定されている。代わりに、ＩＭＳＩ識別子（International Mobile Subscriber Identity（国際移動加入者識別子））もしくはＴＭＳＩ識別子（Temporary Mobile Subscriber Identity（一時的な移動加入者識別子））が加入者の識別子を保障するために使用される。ステップ２−１で、移動局ＭＳは位置更新要求Ｌｏｃ＿Ｕｐｄａｔｅ＿Ｒｅｑを伝送し、その位置更新要求は（基地局ＢＴＳ及び基地局コントローラＢＳＣを経由して）移動交換センタＭＳＣに進む。ステップ２−２では、移動交換センタＭＳＣは位置更新命令をビジターロケーションレジスタＶＬＲに伝送し、そのビジターロケーションレジスタはステップ２−３で更新を実施する。ステップ２−４では、ビジターロケーションレジスタＶＬＲは移動交換センタＭＳＣに肯定応答を伝送して、位置更新が実施されたことを伝え、ステップ２−５では、ＭＳＣは肯定応答Ｌｏｃ＿Ｕｐｄａｔｅ＿Ａｃｋを移動局ＭＳに伝送する。
ＩＭＳＩ（もしくはＴＭＳＩ）及び移動加入者のＭＳＩＳＤＮは、例えば、Mouly-Pautet、「The GSM System for Mobile Communications（移動通信のためのＧＳＭシステム）」、特に８．１．１．３章に記述されているようにホームロケーションレジスタ内で互いに関連している。要約すると、ホームロケーションレジスタは、特定のＭＳＩＳＤＮ番号を特定のＩＭＳＩ番号と関連させる変換テーブルもしくはファイルを保有する。図３のテーブルＴはこのテーブルを表す。
図３は、ＧＳＭ移動通信システムにおける移動局ＭＳに着信する呼の確立を例示する。もし、図１で与えられる移動局ＭＳがそれ自体のホームロケーションレジスタＨＬＲのエリア内にないならば、図２の部分はホームロケーションレジスタＨＬＲに関しては図１の部分に対応するが、ビジターロケーションレジスタＶＬＲは異なる移動交換センタＭＳＣに接続されている。ステップ３−１では、呼がゲートウェイ移動交換センタ（ＧＭＳＣ）に到着し、ステップ３−２では、ゲートウェイ移動交換センタは、被呼の加入者のディレクトリ番号ＭＳＩＳＤＮに基づいて加入者のホームロケーションレジスタＨＬＲを決定し、そのホームロケーションレジスタにルーティング情報に関する問い合わせを伝送する。加入者が位置するエリア内のビジターロケーションレジスタＶＬＲを示す情報は、位置更新と関連して加入者のホームロケーションレジスタＨＬＲに対して更新されている。ステップ３−３では、この情報に基づいて、ホームロケーションレジスタＨＬＲはローミング番号提供要求をビジターロケーションレジスタＶＬＲに伝送する。この要求で、移動加入者のＩＭＳＩもビジターロケーションレジスタＶＬＲに伝送される。ステップ３−４では、ＶＬＲは、ＶＬＲが受信したデータを記憶し、移動局ローミング番号（ＭＳＲＮ）を確保する。ステップ３−５では、ＶＬＲは、ＶＬＲが確保したローミング番号ＭＳＲＮをホームロケーションレジスタＨＬＲに伝送する。ステップ３−６では、ホームロケーションレジスタは、そのローミング番号を、ルーティング情報を問い合わせたセンタＧＭＳＣに伝送する。ローミング番号ドメインは、当ローミング番号を確保したビジターロケーションレジスタの移動交換センタに呼が常に伝送されるように決定される。従って、ローミング番号ＭＳＲＮに基づいて、ゲートウェイ移動交換センタＧＭＳＣは、ステップ３−７で、イニシャルアドレスメッセージをローミング番号ＭＳＲＮによって示される移動交換センタＭＳＣに伝送することによって、呼を伝送することができる。この例では、移動交換センタＭＳＣは、ローミング番号から、呼がそれ自体のセンタのエリア内に着信すると判断する。ステップ３−８では、移動交換センタＭＳＣはそれ自体のビジターロケーションレジスタＶＬＲに呼確立のための被呼の加入者の情報を問い合わせる。通常の場合には、ステップ３−９で、ビジターロケーションレジスタＶＬＲは呼を確立するために必要とされる情報を返す。矢印３−１０及び３−１１はこの処理を表す。
例示のＧＳＭシステムでは、移動加入者の認証は、加入者−特定である識別子モジュールを要求する。従って、特定の端末機器は特定の加入者に限定されない。ＳＩＭカード（Subscriber Identity Module（加入者識別子モジュール））といったような加入者識別子モジュールは、移動局に置かれ、また、加入者を識別して無線トラフィックを暗号化するために必要とされる、例えば、認証キーＫiといった情報を含むファンクショナルカードもしくはスマートカードである。本出願では、ＳＩＭカードといったような加入者識別子モジュールとは、移動局において使用され、一般的に、移動局から取り外し可能であり、加入者がカード制御の移動局を使用可能になるのに使用されるファンクショナルカードのことを指す。
換言すると、もし、例えば、ＳＩＭカードといった加入者識別子モジュールが使用されるならば、必ずしも、ユーザーはユーザー自体の移動局を保有する必要はない。代わりに、ユーザーは、移動通信システムのオペレーターによって発行されるＳＩＭカードといったような加入者識別子モジュールを保有すれば十分である。加入者識別子モジュールはある意味では電話カードであり、加入者はシステムの全ての移動局から呼をかけたり受信したりするために加入者識別子モジュールを使用することができる。ＳＩＭカードの機能は、一方では、加入者識別データを十分に保護された形式で移動局の使用のために提供することであり、他方では、移動局にサービスを提供することである。このようなサービスには、例えば、個人の識別番号を保有すること（入力すること、変更すること）、データ暗号化キー、すなわち、認証キーＫiを保有すること、非常に何度も誤った個人識別番号（ＰＩＮ）の入力を試みたことによってブロックされたＳＩＭカードのブロックを解除することが含まれる。ブロックされたＳＩＭカードは、例えば、ＰＵＫコード（Personal Unblocking Key（個人ブロック解除キー））でブロックを解除される。
ハンドヘルドの電話器でＳＩＭカードを実施するために導入された代替案は、プラグインＳＩＭと呼ばれるコンポーネントであり、それはほぼコイン程度のサイズであり、クレジットカードのサイズのＳＩＭカードの電子機器を含む。プラグインＳＩＭは、ユーザーがそれを取り換えるのは容易でないように電話器に挿入される。電話器はまた一体化したプラグインＳＩＭ及び更にカードリーダーを有しても良い。カードリーダーにカードがある場合には、電話器は外部のカードに基づいて識別され、さもなければ、一体化したプラグインＳＩＭカードに基づいて識別される。
このように、本出願では、移動局（ＭＳ）は移動機器（ＭＥ）と加入者識別子モジュール（ＳＩＭ）の２つの要素から成る。ＳＩＭカードはＧＳＭ勧告０２．１７に記載されている。勧告１１．１１は、例えば、ＳＩＭとＭＥとの間のプロトコル、ＳＩＭデータフィールドの正確な内容及び長さ、電子的及び機械的なインターフェースに関する事項を決定して、勧告０２．１７で規定されている事項をより詳細に記載している。ＳＩＭカードに含まれているデータフィールドの一例は、移動加入者を識別する番号であるＩＭＳＩである。更に、本出願では、文脈から何らかの他の解釈の方が理にかなうといったことがない限り、ＳＩＭの概念は、例えば、ＳＩＭカード、小さなプラグインＳＩＭカード、クレジットカードのサイズのＳＩＭスマートカード、移動局に組み込まれており加入者識別子及び認証キーＫiを含む加入者識別子モジュールといった加入者識別子モジュールを一般に指す。
１人の加入者が一時に自由に使用できる１つの電話器及び１つのＳＩＭカードを有する場合には、一般的に、上述の従来技術のシステムへの加入者登録、位置更新、呼確立は十分である。本発明が解決策を提供する問題は、例えば、１人の加入者が同一の加入者番号と関連させたいと思う２つの識別子モジュールを有する場合に生じる。加入者が、１方は大きなサイズのＳＩＭカードを使用し、もう一方は小さなＳＩＭカードを使用するといったような２つの異なる電話器を有する場合に、このような状況が生じ得る。電話器の内の１方は、ネットワークカバレージが良好である位置で使用されるポケットサイズの携帯電話であり得る。もう一方は、例えば、外部アンテナを装備され、車もしくは船で使用される大きく高出力の電話器であり得る。加入者は両方の電話器に関してＳＩＭカードを保有したいが、２つの別個の加入費を支払いたくはない。法律が、もし、従業員が自由に使用できる会社の電話器を保有するならば、業務時間中にされた呼と業務時間外にされた呼を区別可能でなければならないということを要求しているような国では、別の同様の状況が生じる。しかしながら、一般的に、加入者は、業務時間中に連絡されるか業務時間外に連絡されかに関わらず同一の加入者番号で連絡され得ることを希望する。
発明の概要
本発明の目的は、１人の移動加入者が、自由に使用できる同一もしくは異なるサイズの２つの異なるＳＩＭカードを保有することが可能であり、加入者に常に同一の加入者番号で連絡することが可能であり、実施が加入者にとって可能な限り簡便で、信頼性が高く、意識されないような方法、及び、このような方法を実施する機器を提供することである。本発明の目的は、独立請求項に記述されている事項を特徴とする方法及び装置で達成される。従属請求項は本発明の好ましい実施態様に関する。
本発明は、加入者識別子（ＭＳＩＳＤＮ番号）が２もしくは２よりも多数のＳＩＭカードと関連しているが、一時には、それらのＳＩＭカードの内の１つだけがアクティブであるといった情報を保有する移動電話ネットワーク（例えば、そのホームロケーションレジスタＨＬＲ）に基づく。（一般的に、ＳＩＭカードの内の１つはアクティブであるが、アクティブなＳＩＭカードが変更されている時には、どのＳＩＭカードもアクティブでないような一時的な状況が生じ得る。）パッシブとして登録されているＳＩＭカードを有する移動局が位置更新を実施する場合、ネットワーク（例えば、ホームロケーションレジスタＨＬＲ）は、ＭＳＩＳＤＮ番号が２つのＳＩＭカードと関連しており、現在パッシブであるそれらの内の１つが位置更新を実施していることに気づく。この場合には、ネットワークは先に使用されたＳＩＭカードを非アクティブにし、位置更新を実施するために使用されるＳＩＭカードをアクティブにする。それから、動作は通常通りに継続する。
本発明の方法及びシステムが提供する利点の１つは、それらが加入者にとって信頼性が高く意識されないことである。加入者が実施しなければならないのは加入者の電話器を使用することだけである。加入者の観点からは、課金センタもしくはそのようなものへの別個の口頭もしくは入力されたメッセージなしで、アクティブなＳＩＭカードとパッシブなＳＩＭカードとの間の切り換えが自動的に行われる。本発明に従う実施は、ＳＩＭカードが同一のサイズであるか異なるサイズであるかに関わらず可能である。本発明の方法及び機器が有すると考えられる更なる利点は、主にホームロケーションレジスタＨＬＲに関連する情報要素及びソフトウェアである１つのネットワーク要素の小さな明確に規定されたエリアに変更を限定できることである。
【図面の簡単な説明】
好ましい実施例に関して、添付図を参照して、本発明をより詳細に説明する。
図１は、本発明にとって必須の移動電話ネットワークの要素を示すブロック図である。
図２は位置更新に関するシグナリングを例示する。
図３は呼確立に関するシグナリングを例示する。
図４は本発明を例示するフロー図である。
図５Ａ−５Ｂは、いくつかのＳＩＭカードを同一の加入者番号と関連させるための代替技術を示す。
発明の詳細な説明
図４は位置更新に関する本発明の更なる動作を示すフロー図である。位置更新と関連するＩＭＳＩの受信には、他のＩＭＳＩ識別子が同一の加入者と関連しているかどうかの調査が含まれる。もし、関連しているならば、位置更新がアクティブとして登録されたＩＭＳＩ識別子に関するかどうかが調査される。もし、位置更新がパッシブとして登録されたＩＭＳＩ識別子に関するならば、先に使用されたＩＭＳＩは非アクティブにされ、位置更新と関連するＩＭＳＩがアクティブにされる。
今度は図５Ａについて、本発明の１実施態様では、ホームロケーションレジスタＨＬＲは、本発明に記述されるように、少なくとも２つのＳＩＭカードが特定のＭＳＩＳＤＮ番号と関連していることを示す情報を保有する。この情報を、例えば、図３に関連して説明された変換テーブルＴを特別の情報要素Ｅで拡張することによって、各々のＭＳＩＳＤＮ番号について、２もしくは２よりも多数のＩＭＳＩ識別子を拡張されたテーブルＴに入れることができるといったように保有することができる。この第１の実施態様では、データファイル、すなわち、テーブルＴのレコードフォーマットが変わり、このことは、当テーブルを処理するソフトウェアが更新される時に考慮されなければならないということは留意されるべきである。もし、２よりも多数のＩＭＳＩ識別子（ＳＩＭカード）が各々のＭＳＩＳＤＮ番号について得られるならば、当然、１よりも多数の特別の情報列Ｅが必要とされる。
この代替案によると、ホームロケーションレジスタＨＬＲは、位置更新に関連して、位置更新が、１よりも多数のＳＩＭカードと関連するＭＳＩＳＤＮ番号に関することに気づき、ＨＬＲは、位置更新メッセージによって示されたＳＩＭカードがアクティブとして登録されているＳＩＭカードであるかどうか（すなわち、テーブルＴのＳＩＭカードに対応するＩＭＳＩが第１のＩＭＳＩフィールドに記憶されているかどうか）を調べる。もし、そうならば、位置更新は従来技術に従って進む。しかし、もし、位置更新メッセージによって示されたＳＩＭカードがアクティブとして登録されているＳＩＭカードでない（すなわち、テーブルＴのＳＩＭカードに対応するＩＭＳＩが第１のフィールド以外のフィールドに記憶されている）ならば、ＨＬＲは、位置更新メッセージによって示されたＩＭＳＩを、例えば、そのＩＭＳＩを第１のＩＭＳＩフィールドに転送することによってアクティブにする。今度は、このＩＭＳＩに対応するＳＩＭカードがアクティブになる。先に使用されたＩＭＳＩは、例えば、そのＩＭＳＩを丁度開放されたＩＭＳＩフィールドに記憶することによって非アクティブにされる。先に使用されたＳＩＭカードの非アクティブ化は、例えば、丁度非アクティブにされたＳＩＭカードに対応するモバイルアプリケーションパート（ＭＡＰ）メッセージＣＡＮＣＥＬ  ＬＯＣＡＴＩＯＮを伝送することによってビジターロケーションレジスタＶＬＲに信号で伝送される。ビジターロケーションレジスタＶＬＲは非アクティブ化されたＳＩＭカードをそのメモリから消去する。これはビジターロケーションレジスタにとって標準の動作であるので、本発明はビジターロケーションレジスタの機能の変更を何ら必要としない。
アクティブなＩＭＳＩを第１の列に転送するための代替案は、特定の加入者のＩＭＳＩの内のどのＩＭＳＩがアクティブであるかを示す別個のフィールド（図示されていない）を保有することである。
図５Ａは、一例として、第２及び第５の加入者（ＭＳＩＳＤＮ番号）が２つのＳＩＭカードに関連しており、従って、２つのＩＭＳＩ識別子に関連しているような仮想の状況を示す。第２の加入者に関しては、ＳＩＭカードＡがアクティブである（ＩＭＳＩ−２Ａが第１のＩＭＳＩフィールドにある）。同様に、第５の加入者に関しては、ＳＩＭカードＢがアクティブである（ＩＭＳＩ−５Ｂが第１のＩＭＳＩフィールドにある）。
今度は、図５Ｂについて、１つの代替の実施態様は、おそらく非常に少数の加入者のみがいくつかのＳＩＭカードを使用するという事実に基づいている。この第２の代替案によると、１よりも多数の関連のＳＩＭカードを有するＭＳＩＳＤＮ番号についての情報を保有するだけの追加の拡張テーブルＴ’を使用して、いくつかのＳＩＭカードを同一のＭＳＩＳＤＮ番号と関連させることができる。この実施態様では、テーブルＴのレコードフォーマットは変わらず、全ての変更が別個の拡張テーブルＴ’に集められる。ある状況では、これは１つの利点と考えられる。テーブルＴの処理は、（位置更新に関連して）ＳＩＭカードが変更される場合に、アクティブにされるＳＩＭカードに対応するＩＭＳＩがテーブルＴにコピーされなければならないといったように変わるのみである。
この第２の代替案によると、ホームロケーションレジスタＨＬＲは、位置更新に関連して、位置更新によって示されたＭＳＩＳＤＮが拡張テーブルＴ’に記憶されているかどうかを調べる。もし、記憶されていなければ、位置更新は従来技術に従って継続する。しかし、もし、位置更新によって示されたＭＳＩＳＤＮが拡張テーブルＴ’に記憶されているならば、ＨＬＲは、位置更新メッセージによって示されたＳＩＭカードがアクティブであるとして登録されているＳＩＭカードであるかどうか（すなわち、拡張テーブルＴ’のＳＩＭカードに対応するＩＭＳＩがテーブルＴに入れられたＩＭＳＩと同一であるかどうか）を調べる。もし、同一であるならば、位置更新は従来技術に従って継続する。しかし、もし、位置更新メッセージによって示されたＳＩＭカードがアクティブとして登録されているＳＩＭカードでない（すなわち、拡張テーブルＴ’のＳＩＭカードに対応するＩＭＳＩが実際のテーブルＴに入れられたＩＭＳＩと同一でない）ならば、ＨＬＲは位置更新メッセージによって示されたＩＭＳＩを拡張テーブルＴ’から実際のテーブルＴにコピーする。同時に、ＣＡＮＣＥＬ  ＬＯＣＡＴＩＯＮメッセージは、図５Ａに関して上述したのと同様にビジターロケーションレジスタＶＬＲに伝送される。それから、位置更新は従来技術に従って継続する。
図５Ｂは、一例として、２つのＳＩＭカード、従って、２つのＩＭＳＩ識別子が各々のＭＳＩＳＤＮ番号２、４１、６４と関連しているような仮想の状況を示す。加入者の１人に関して、ＳＩＭカードＡがアクティブである（ＩＭＳＩ−２ＡがテーブルＴに記憶されている。）
当然、図５ＡのテーブルＴもしくは図５Ｂの拡張テーブルＴ’を拡張して、２よりもずっと多数のＳＩＭカード（ＩＭＳＩ識別子）を１つのＭＳＩＳＤＮ番号と関連させることができるようにすることも可能である。
異なる加入者に関する２つ（もしくは２つよりも多数）のＳＩＭカードを同一のＭＳＩＳＤＮ番号と関連させることができる。もし、先にパッシブとして登録されたＳＩＭカード（この場合にはＢ）がアクティブにされている（そのＳＩＭカードは位置更新を実施するために使用されている）のと同時に、先にアクティブとして登録されたＳＩＭカード（例えばＡ）が進行中の呼に携わっているならば、進行中の呼が終了されてしまうまで、ＳＩＭカードＡに関する位置更新は延期されるか、又は、拒絶されるのが好ましい。例えば、呼待機機能で、この種の状況をＳＩＭカードＡのユーザーに伝えることができる。
課金に関する呼情報はネットワーク課金センタに伝送される。そこで実施される後続の処理は、異なるＳＩＭカード／ＩＭＳＩ番号を使用して実施された呼をそれらの番号に分けることができるといったように請求書を分類することによって補足されるのが好ましい。もし、課金がＩＭＳＩ識別子に基づいて制御されるならば、本発明で提供される特別の情報要素Ｅを、同一のＭＳＩＳＤＮ番号と関連する異なるＩＭＳＩ識別子を合わせて１つの請求書をつくるために使用できる。
技術が進歩するにつれて、本発明の基本思想を多くの異なる方法で実施可能であることは当業者にとって明白である。上記の説明はＧＳＭシステム及びＤＣＳといったようなその派生のシステムに関するが、本発明は他のデータ通信システムにも適用可能である。例えば、加入者識別子モジュールが取り外し可能なＧＳＭタイプのＳＩＭカードであることは必須ではない。移動局が小さくなるにつれて、現在のＳＩＭカードのような物理的に取り外し可能なＳＩＭカードは必ずしももはや使用されないであろうことは考えられる。移動機器ＭＥと識別モジュールＳＩＭとの間の区分を物理的よりも論理的であると理解することができる。移動局が安価になるにつれて、一般的な加入者はいくつかの移動局を保有し、それらの移動局の中から、ユーザーは関係している環境に最も適している移動局を選定できるということも考えられる。本発明の技術をこのような状況に適用することも可能である。本発明の重要な特徴は、移動局が加入者識別子モジュールを備えており、いくつかの識別子モジュールが同一の加入者識別子と関連することができるということである。従って、本発明及びその実施態様は上記の例に限定されず、請求の範囲内で変わり得る。
【図１】
0004087455.tif 000002
【図２】
0004087455.tif 000003
【図３】
0004087455.tif 000004
【図５Ａ】
0004087455.tif 000005
【図５Ｂ】
0004087455.tif 000006
【図４】
0004087455.tif 000007